(57)【要約】【課題】タッチパネルと使用者が覗きこめるファインダーとを備えた撮像装置であって、使用者のタッチパネルからの入力による誤動作を防止できる撮像装置を提供することを目的とする。【解決手段】本発明にかかる撮像装置は、撮像手段と、撮像手段により撮像された画像を表示する表示手段と、表示手段上に設けられ、使用者からの指示を受け付けるタッチパネルと、使用者が覗き込めるファインダーと、使用者がファインダーを覗き込んでいることを検知する検知手段と、検知手段によって使用者が前記ファインダーを覗いていることが検知されると、タッチパネルへの使用者からの指示を無効とするよう制御する制御手段と、を備える。【選択図】図１
2010212940.tif 000002
【特許請求の範囲】
【請求項１】
撮像手段と、
前記撮像手段により撮像された画像を表示する表示手段と、
前記表示手段上に設けられ、使用者からの指示を受け付けるタッチパネルと、
使用者が覗き込めるファインダーと、
使用者が前記ファインダーを覗き込んでいることを検知する検知手段と、
前記検知手段によって使用者が前記ファインダーを覗いていることが検知されると、前記タッチパネルへの使用者からの指示を無効とするよう制御する制御手段と、を備える、
撮像装置。
【発明の詳細な説明】
【技術分野】
【０００１】
本発明は撮像装置に関し、特に、タッチパネルを介して操作可能な撮像装置に関する。
【背景技術】
【０００２】
特許文献１は、タッチパネルを備える撮像装置を開示する。この撮像装置は、使用者からの把持を検出すると、タッチパネルからの操作入力を無効とする。これにより、タッチパネルに誤って使用者の手が触れたことによる誤動作を防止できる。
【特許文献１】特開２００７−２８５１２号公報
【発明の開示】
【発明が解決しようとする課題】
【０００３】
しかしながら、上記特許文献１が開示する撮像装置は、使用者が覗きこめるファインダーを有していない。
【０００４】
本発明は、タッチパネルと使用者が覗きこめるファインダーとを備えた撮像装置であって、使用者のタッチパネルからの入力による誤動作を防止できる撮像装置を提供することを目的とする。
【課題を解決するための手段】
【０００５】
上記課題を解決するために本発明にかかる撮像装置は、撮像手段と、撮像手段により撮像された画像を表示する表示手段と、表示手段上に設けられ、使用者からの指示を受け付けるタッチパネルと、使用者が覗き込めるファインダーと、使用者がファインダーを覗き込んでいることを検知する検知手段と、検知手段によって使用者が前記ファインダーを覗いていることが検知されると、タッチパネルへの使用者からの指示を無効とするよう制御する制御手段と、を備える。
【発明の効果】
【０００６】
本発明によれば、タッチパネルと使用者が覗きこめるファインダーとを備えた撮像装置であって、使用者のタッチパネルからの入力による誤動作を防止できる撮像装置を提供できる。
【発明を実施するための最良の形態】
【０００７】
〔１．実施の形態１〕
〔１−１．概要〕
本実施の形態に係るカメラシステム１は、交換レンズ１００とカメラボディ２００とを備える。カメラボディ２００は、タッチパネル２４０を備える。使用者は、タッチパネル２４０を介してカメラシステム１を操作することができる。
【０００８】
本発明は、このようなタッチパネルを備えた撮像装置において、使用者による誤動作を防止できる撮像装置を提供するためになされた発明である。
【０００９】
〔１−２．構成〕
〔１−２−１．電気的構成〕
以下、本発明をレンズ交換式のカメラシステムに適用した場合の実施の形態１について図面を用いて説明する。
【００１０】
図1は本発明の実施の形態１に係るカメラシステム１の構成を示す模式図である。カメラシステム１は交換レンズ１００とカメラボディ２００とから構成される。交換レンズ１００は、不図示のズームレンズやフォーカスレンズ等を有しており、透過した光をＣＣＤイメージセンサ２１０上に結像させる。
【００１１】
カメラボディ２００はＣＣＤイメージセンサ２１０、マイコン２２０、背面モニタ２３０、タッチパネル２４０、ファインダーモニタ２６０、接眼検知センサ２７０、操作部材２８０とカードスロット２９０を備える。カメラシステム１は、交換レンズを介して結像した被写体像をＣＣＤイメージセンサ２１０によって電気信号に変換し、画像データを生成し、生成した画像データに各種画像処理や圧縮処理を施して、メモリーカード３００に記録する。以下、各構成の詳細について説明する。
【００１２】
ＣＣＤイメージセンサ２１０は交換レンズ１００を介して入射した被写体像を撮像し、電気信号に変え、画像データを生成する。
【００１３】
マイコン２２０は操作部材２８０の指示に応じてＣＣＤイメージセンサ２１０等のカメラシステム１全体を制御する。マイコン２２０はＣＣＤイメージセンサから得た画像データに対してガンマ補正やキズ補正やホワイトバランス補正等の各種画像処理や、ＪＰＥＧ圧縮処理やＭＰＥＧ圧縮処理等の圧縮処理等を施す。マイコン２２０は制御動作や画像処理においてＤＲＡＭ２５０をワークメモリとして使用する。
【００１４】
背面モニタ２３０及びファインダーモニタ２６０はマイコン２２０で各種画像処理等を施された画像データが示す画像を表示する。背面モニタ２３０及びファインダーモニタ２６０は、スルー画像やメモリーカード３００に記録されている画像データが示す静止画像を表示できる。ここで、スルー画像とは、静止画撮影を行う際に構図を決定するために表示する動画像である。背面モニタ２３０及びファインダーモニタ２６０は設定メニューを表示できる。例えば、背面モニタ２３０及びファインダーモニタ２６０は、設定メニューとして、撮影する画像データの画素数を設定するメニュー画面や、露出を設定するメニュー画面や、ＩＳＯ感度を設定するメニュー画面等を表示できる。背面モニタ２３０はカメラボディ２００の背面に備えられている。使用者は、ファインダーモニタ２６０を覗き込むことによりＣＣＤイメージセンサ２１０で撮像された画像を確認できる。
【００１５】
タッチパネル２４０は背面モニタ２３０上に設けられる。タッチパネル２４０は透明であるため、使用者は、タッチパネル２４０上から背面モニタ２３０の表示を視認することができる。タッチパネル２４０は、使用者により触れられた位置に関する情報をマイコン２２０に通知する。従って、背面モニタ２３０に設定メニュー等が表示されている場合に、マイコン２２０は、使用者によりどのメニューが選択されたかを判断することができる。その結果、使用者は、タッチパネル２４０に触れることでカメラシステム１に関する各種操作を行える。
【００１６】
接眼検知センサ２７０は直前に物体があるかを検知する。接眼検知センサ２７０は検知した情報をマイコン２２０に通知する。従って、使用者がファインダーモニタ２６０を覗き込んだ場合には、接眼検知センサ２７０は、直前に物体があると検知し、検知した情報をマイコン２２０に通知する。
【００１７】
操作部材２８０は各種操作部材の総称である。例えば、後述するレリーズ釦３１０やフォーカスロック釦３２０や十字キー等が該当する。
【００１８】
カードスロット２９０はメモリーカード３００を装着できる。メモリーカード３００はマイコン２２０により生成された画像データを格納できる。またメモリーカード３００は格納されたデータをマイコン２２０に出力することもできる。
【００１９】
〔１−２−２．背面構成〕
図2は本発明の実施の形態１に係るカメラシステム１を背面から見た様子を示す模式図である。接眼検知センサ２７０は、ファインダーモニタ２６０の隣に配置されている。使用者がファインダーモニタ２６０を覗き込むと、顔の一部が接眼検知センサ２７０を覆うため、接眼検知センサ２７０は直前に物体があることを検知し、マイコン２２０に通知する。
【００２０】
使用者は、レリーズ釦３１０を全押しすることで静止画像を撮影できる。使用者は、フォーカスロック釦３２０を押下することで、不図示のフォーカスレンズの位置を固定できる。また、使用者は、再度フォーカスロック釦を押下することにより、フォーカスレンズの固定状態を解除できる。十字キー３３０は上下左右と中心に釦を備える。使用者は、十字キー３３０を構成する各種釦を押下することにより、ＧＵＩ上のメニューの選択等をすることができる。
【００２１】
また、使用者は、背面モニタ２３０に表示されるＧＵＩ上のメニューの選択をタッチパネル２４０を介して行うことができる。
【００２２】
〔１−３．動作〕
図3は本実施の形態１に係るカメラシステム１の撮影動作を説明するためのフローチャートである。
【００２３】
使用者は、操作部材２８０の一部を構成する不図示の電源スイッチを操作することにより、電源をＯＮできる（Ｓ１００）。電源をＯＮすると、使用者は、操作部材２８０の一部を構成する不図示のモードダイヤルを操作することにより、撮影モードに設定できる（Ｓ１１０）。
【００２４】
撮影モードに設定されると、マイコン２２０は、接眼検知センサ２７０が直前に物体があることを検知したか否かを判断する（Ｓ１２０）。
【００２５】
接眼検知センサ２７０が直前に物体があることを検知していないと判断すると、マイコン２２０は、レリーズ釦３１０が全押しされたか否かを判断する（Ｓ１３０）。レリーズ釦３１０が全押しされたと判断すると、マイコン２２０は、ＣＣＤイメージセンサ２１０により生成された画像データに各種画像処理等を施し、メモリーカード３００に記録する（Ｓ１４０）。
【００２６】
一方、接眼検知センサ２７０が直前に物体があることを検知したと判断すると、マイコン２２０は、タッチパネル２４０を無効にする（Ｓ１５０）。ここで、タッチパネル２４０を無効にする方法はどのようなものであっても構わない。例えば、タッチパネル２４０の電源を完全にＯＦＦする方法であってもよい。また、使用者がタッチパネル２４０に触れた場合にタッチパネル２４０から入力位置の情報が通知されたとしても、マイコン２２０がその通知に基づいてカメラシステム１を制御しないような方法であってもよい。
【００２７】
タッチパネル２４０を無効にすると、マイコン２２０は、レリーズ釦３１０が全押しされたか否かを判断する（Ｓ１６０）。レリーズ釦３１０が全押しされたと判断すると、マイコン２２０は、ＣＣＤイメージセンサ２１０により生成された画像データに各種画像処理等を施し、メモリーカード３００に記録する（Ｓ１７０）。
【００２８】
このように、本実施の形態にかかるカメラシステム１は、接眼検知センサ２７０が直前に物体があると検知した場合に、タッチパネル２４０を無効とする構成とした。これにより、使用者がファインダーモニタ２６０を覗きこんだ際に、鼻等がタッチパネル２４０に触れてしまったとしても、カメラシステム１が誤動作を生じるといった事態を回避できる。
〔２．実施の形態２〕
以下、本発明をレンズ交換式のカメラシステムに適用した場合の実施の形態２について図面を用いて説明する。なお、特に説明しない構成については、実施の形態１と同様とする。
【００２９】
〔２−１．動作〕
図４は、本実施の形態２に係るカメラシステム１の撮影動作を説明するためのフローチャートである。また図５は追尾ＡＦの動作を説明するための模式図である。追尾ＡＦとは、使用者が指定した対象をマイコン２２０が追尾し、その対象に自動でフォーカスを合わせる制御方法である。例えば、使用者が図５(Ａ)の対象Aを指定すると、マイコン２２０はＡＦ枠３４０を対象Ａを囲うように表示し、対象Ａにフォーカスを合わせる。図５（Ｂ）のように、対象Ａが移動した場合においても、マイコン２２０は対象Ａを追尾し、対象Ａにフォーカスを合わせる。
【００３０】
使用者は、タッチパネル２４０に触れることでＡＦ位置を指定する（Ｓ２００）。ＡＦ位置が指定されると、マイコン２２０は追尾ＡＦを開始する（Ｓ２１０）。
【００３１】
追尾ＡＦを開始すると、マイコン２２０は、接眼検知センサ２７０が直前に物体があることを検知したか否かを判断する（Ｓ２２０）。
【００３２】
接眼検知センサ２７０が直前に物体があることを検知していないと判断すると、マイコン２２０はフォーカスロック釦３２０が押下されたか否かを判断する（Ｓ２３０）。
【００３３】
フォーカスロック釦３２０が押下されていないと判断すると、マイコン２２０は、レリーズ釦３１０が全押しされたか否かを判断する（Ｓ２４０）。レリーズ釦３１０が全押しされたと判断すると、マイコン２２０は、ＣＣＤイメージセンサ２１０により生成された画像データに各種画像処理等を施し、メモリーカード３００に記録する（Ｓ２５０）。
【００３４】
一方、フォーカスロック釦が押下されたと判断すると、マイコン２２０は追尾ＡＦを中止し、ＡＦ枠３４０を現在の座標に固定する（Ｓ２６０）。つまり、フォーカスロック釦が押下されると、マイコン２２０は、不図示のフォーカスレンズの位置を固定する。
【００３５】
ＡＦ枠３４０を現在の座標に固定すると、マイコン２２０は十字キー３３０が押下されたか否かを判断する（Ｓ２７０）。
【００３６】
十字キー３３０が押下されていないと判断すると、マイコン２２０はレリーズ釦３１０が全押しされたか否かを判断する（Ｓ２８０）。レリーズ釦３１０が全押しされたと判断すると、マイコン２２０は、ＣＣＤイメージセンサ２１０により生成された画像データに各種画像処理等を施し、メモリーカード３００に記録する（Ｓ２９０）。
【００３７】
一方、十字キー３３０が押下されたと判断すると、マイコン２２０はＡＦ枠３４０を押された十字キーの方向に移動する（Ｓ３００）。ＡＦ枠３４０を移動すると、マイコン２２０はその位置にフォーカスを合わせるよう不図示のフォーカスレンズを駆動させる（Ｓ３００）。フォーカスを合わせるとマイコン２２０はレリーズ釦３１０が全押しされたか否かを判断する（Ｓ３１０）。レリーズ釦３１０が全押しされたと判断すると、マイコン２２０は、ＣＣＤイメージセンサ２１０により生成された画像データに各種画像処理等を施し、メモリーカード３００に記録する（Ｓ３２０）。一方、レリーズ釦３１０が全押しされていないと判断すると、マイコン２２０は、再度、十字キー３３０が押下されたか否かを判断する（Ｓ２７０）。
【００３８】
一方、ステップＳ２２０で接眼検知センサ２７０が直前に物体があることを検知したと判断すると、マイコン２２０は、タッチパネル２４０を無効にする（Ｓ３３０）。
【００３９】
タッチパネル２４０を無効にすると、マイコン２２０はフォーカスロック釦３２０が押下されたか否かを判断する（Ｓ３４０）。
【００４０】
フォーカスロック釦３２０が押下されていないと判断すると、マイコン２２０は、レリーズ釦３１０が全押しされたか否かを判断する（Ｓ３５０）。レリーズ釦３１０が全押しされたと判断すると、マイコン２２０は、ＣＣＤイメージセンサ２１０により生成された画像データに各種画像処理等を施し、メモリーカード３００に記録する（Ｓ３６０）。
【００４１】
一方、フォーカスロック釦が押下されたと判断すると、マイコン２２０は追尾ＡＦを中止し、ＡＦ枠３４０を現在の座標に固定する（Ｓ３７０）。
【００４２】
ＡＦ枠３４０を現在の座標に固定すると、マイコン２２０は十字キー３３０が押下されたか否かを判断する（Ｓ３８０）。十字キー３３０が押下されていないと判断すると、マイコン２２０はレリーズ釦３１０が全押しされたか否かを判断する（Ｓ３９０）。レリーズ釦３１０が全押しされたと判断すると、マイコン２２０は、ＣＣＤイメージセンサ２１０により生成された画像データに各種画像処理等を施し、メモリーカード３００に記録する（Ｓ４００）。
【００４３】
一方、十字キー３３０が押下されたと判断すると、マイコン２２０はＡＦ枠３４０を押された十字キーの方向に移動する（Ｓ４１０）。ＡＦ枠３４０を移動すると、マイコン２２０はその位置にフォーカスを合わせるよう不図示のフォーカスレンズを駆動させる（Ｓ４１０）。フォーカスを合わせるとマイコン２２０はレリーズ釦３１０が全押しされたか否かを判断する（Ｓ４２０）。レリーズ釦３１０が全押しされたと判断すると、マイコン２２０は、ＣＣＤイメージセンサ２１０により生成された画像データに各種画像処理等を施し、メモリーカード３００に記録する（Ｓ４３０）。
【００４４】
このように、本実施の形態に係るカメラシステム１は、使用者がタッチパネル２４０でＡＦ位置を指定してマイコン２２０が追尾ＡＦをしている際に、フォーカスロック釦３２０を押下した場合に、ＡＦ枠３４０の固定・移動を可能とする構成とした。これにより、使用者はＡＦ位置の微調整を行うことができる。特に、ファインダーモニタを覗き込んで、タッチパネルでＡＦ位置の再指定ができない状態でも、ＡＦ位置の調整を簡単に行うことができる。
【産業上の利用可能性】
【００４５】
本発明は、デジタルスチルカメラやデジタルビデオカメラなどの撮像装置に適用できる。
【図面の簡単な説明】
【００４６】
【図１】カメラシステム１の電気的構成図
【図２】カメラシステム１の背面構成図
【図３】実施の形態１にかかるカメラシステム１の撮影動作を説明するためのフローチャート
【図４】実施の形態２にかかるカメラシステム１の撮影動作を説明するためのフローチャート
【図５】追尾ＡＦを説明するための模式図
【符号の説明】
【００４７】
１００    交換レンズ
２００    カメラボディ
２１０    ＣＣＤイメージセンサ
２２０    マイコン
２３０    背面モニタ
２４０    タッチパネル
２５０    ＤＲＡＭ
２６０    ファインダーモニタ
２７０    接眼検知センサ
２８０    操作部材
２９０    カードスロット
【図１】
2010212940.tif 000003
【図２】
2010212940.tif 000004
【図３】
2010212940.tif 000005
【図４】
2010212940.tif 000006
【図５】
2010212940.tif 000007